(57)【要約】【課題】保護体がはずれることによる可動板の損傷及び可動板のずれによるプレス効果の低下を防いだものである。【解決手段】発熱体４を内装した固定板１とガラス等の透明体で形成された可動板２を対向させて、開閉自在に設けた衣類プレス器において、可動板２の周縁に環状のゴム部材製の保護体１０を装着したものである。保護体１０は、環状であるので、不用意にはずれることがない。【選択図】  図１
2004254916.tif 000002
【特許請求の範囲】
【請求項１】
衣類等を挟圧する固定板及び可動板と、前記固定板に前記可動板を対向させて、開閉自在に連結するヒンジ装置と、前記固定板及び可動板により、衣類等を挟圧した状態に保持するロック装置と、前記固定板及び可動板との間で挟圧した衣類等を加熱する発熱体とを具備し、前記可動板は、透明体で形成するとともに、その周縁には、環状のゴム部品で形成された保護体を装着した衣類プレス器。
【請求項２】
保護体の全長は、前記可動板の周縁の全長よりも短い請求項１記載の衣類プレス器。
【請求項３】
保護体は、片面に突起を具備した金属プレートにより、前記可動板に固定され、挟圧される請求項１または２記載の衣類プレス器。
【請求項４】
衣類等を挟圧する固定板及び可動板と、前記固定板に前記可動板を対向させて、開閉自在に連結するヒンジ装置と、前記固定板及び可動板により、衣類等を挟圧した状態に保持するロック装置と、前記固定板及び可動板との間で挟圧した衣類等を加熱する発熱体とを具備し、前記可動板は、透明体で形成するとともに、その周縁には合成樹脂製の保護体を装着し、ロック装置の係止部及び前記ヒンジ装置の少なくとも一方をこの保護体と一体に形成した衣類プレス器。
【請求項５】
保護体は、略コ字状の一対の枠部材からなり、一方の枠部材に一体に形成したロック装置の係止部により他方の枠部材を連結した請求項４記載の衣類プレス器。
【発明の詳細な説明】
【０００１】
【発明の属する技術分野】
本発明は、ズボン等の衣類を挟圧及び加熱をして、皺伸ばし及び折り目付けを行う衣類プレス器に関するものである。
【０００２】
【従来の技術】
従来のこの種の衣類プレス器は、図８〜１２のように構成されていた（例えば、特許文献１参照）。以下、その構成について説明をする。
【０００３】
図８及び図９に示すように、固定板５０と可動板５１を対向させて設け、この固定板５０は、脚５２に固定し、略垂直に立設する。
【０００４】
固定板５０の内側には、箔状の発熱体５３を有した発泡ポリウレタン等からなるクッション体５４を設ける。発熱体５３は、クッション体５４の加圧面側に設け、挟圧した衣類等への加圧が効率よく行えるようにしている。
【０００５】
発熱体５３及びクッション体５４は、低摩擦抵抗で、滑りやすい材料、例えば、レーヨン、キュプラ、アセテート等の薄い繊維からなるカバー５４ａで覆われている。このカバー５４ａの周囲は、固定部材５０ａにより固定板５０に取り付ける。
【０００６】
固定板５０は、合板またはパーチクルボード等の木材加工品製であり、一方可動板５１は、挟圧した衣類等を外から視認できるように透明または半透明なガラス板あるいは強化ガラス板、アクリルあるいはポリカーボネート等の樹脂板等で構成されており、固定板５０の下端にヒンジ装置５５により開閉自在に連結されている。
【０００７】
可動板５１の周縁には保護体５６が設けてある。この保護体５６は、例えば、金属、木、樹脂、ゴム、エラストマ製で、断面形状が略コ字状に形成されており、可動板５１の周縁端部を三方向から包囲するようにしてある。
【０００８】
固定板５０への可動板５１の挟圧状態を保つロック装置５７は、前記固定板５０の背面に回動自在に設けたレバー５８と、このレバー５８を係止するために可動板５１に設けられた係止部５９とで構成される。そして、係止部５９は可動板５１の周縁に設けた保護体５６に固定されている。
【０００９】
さらに、係止部５９の固定構成を図１０で詳述すれば、この係止部５９は、保護体５６を三方から包囲するように略コ字状の金具６０を介在させ、ネジ６１で保護体５６周縁端部に取り付ける。また、保護体５６と金具６０の間の片側に入れた金属プレート６２に前記ネジ６１の先端を当接させて強固に固定している。
【００１０】
図１１に示すように、ヒンジ装置５５と可動板５１との固定も図１０の係止部５９と同様である。すなわち、ヒンジ装置５５は、保護体５６を三方から包囲するように略コ字状の金具６３を介在させ、ネジ６４で保護体５６周縁端部に取り付ける。さらに、保護体５６と金具６３の間の片側に入れた金属プレート６５にネジ６４の先端を当接させて強固に固定している。
【００１１】
【特許文献１】
特許第３２１９０８８号公報（第３頁、図１、２、３、４、６）
【００１２】
【発明が解決しようとする課題】
しかしながら、上記従来の構成では、可動板５１の幾度もの開閉操作により、衝撃的な外力を周縁に受けやすく、そのように可動板５１の周縁に衝撃を受けると損傷しやすい問題がある。そのため、可動板５１の周縁端部にはゴム部材からなる略コ字状の保護体５６が設けられている。
【００１３】
しかし、図１２に示すように、ゴム部材からなる保護体５６の場合、係止部５９に保護体５６の両端部分５６ａを向き合って位置しているため、移動時に可動板５１の上部をつかみ誤って、保護体５６のみを引っ張り上げると、これが可動板５１より外れていまう場合がある。
【００１４】
さらには、保護体５６の端部５６ａが係止部５９より外れる場合もある。このような場合、可動板５１のエッジが露出することになるので、損傷の可能性が高まる。
【００１５】
本発明は、このような従来の課題を解決するものであり、衣類等のプレス状態を視認することができる透明な可動板を有する衣類プレス器において、衝撃的な外力や引っ張りがあっても、保護体が外れにくくすることを目的とする。
【００１６】
【課題を解決するための手段】
上記の目的を達成するために、本発明において、衣類等を挟圧する固定板及び可動板と、前記固定板に前記可動板を対向させて、開閉自在に連結するヒンジ装置と、前記固定板及び可動板により、衣類等を挟圧した状態に保持するロック装置と、前記固定板及び可動板との間で挟圧した衣類等を加熱する発熱体とを具備し、前記可動板は、透明体で形成するとともに、その周縁には、環状のゴム部品で形成された保護体を装着したものである。
【００１７】
【発明の実施の形態】
上記の目的を達成するために本発明は、衣類等を挟圧する固定板及び可動板と、前記固定板に前記可動板を対向させて、開閉自在に連結するヒンジ装置と、前記固定板及び可動板により、衣類等を挟圧した状態に保持するロック装置と、前記固定板及び可動板との間で挟圧した衣類等を加熱する発熱体とを具備し、前記可動板は、透明体で形成され、前記可動板の周縁に設けられた保護体は、環状のゴム部品で形成されており、前記可動板周縁端部より外れることがないので、前記可動板の損傷を防ぐことができる。
【００１８】
また、可動板の周縁に設けられた保護体の全長は、前記可動板の周縁の全長よりも短いので、保護体がたるむことなく可動板に取り付けられ、その保護効果を高めることができる。
【００１９】
また、前記保護体は、片面に突起を具備した金属プレートにより、前記可動板への保護体の固定が強固なものとなり、前記可動板の損傷を防ぐことができる。
【００２０】
さらに、衣類等を挟圧する固定板及び可動板と、前記固定板に前記可動板を対向させて、開閉自在に連結するヒンジ装置と、前記固定板及び可動板により、衣類等を挟圧した状態に保持するロック装置と、前記固定板及び可動板との間で挟圧した衣類等を加熱する発熱体とを具備し、前記可動板は、透明体で形成するとともに、その周縁には合成樹脂製の保護体を装着し、ロック装置の係止部及び前記ヒンジ装置（及びロック装置）の少なくとも一方をこの保護体と一体に形成したことにより、保護体のヒンジ装置及びロック装置への固定が強化されるとともに、ヒンジ装置及びロック装置が衝撃的外力によりずれることがなく、衣類プレス効果の低下を防ぐことができる。
【００２１】
また、前記保護体は、略コ字状の一対の枠部材からなり、一方の枠部材に一体に形成したロック装置の係止部により、他方の枠部材を連結するので、保護体のヒンジ装置及びロック装置への固定が強化される。
【００２２】
【実施例】
以下、本発明の実施例について図面を参照して説明する。
【００２３】
（実施例１）
図１〜４に示すように、ズボン等の衣類を挟圧するために固定板１及び可動板２を対向させて設置してある。
【００２４】
上記固定板１は、合板またはパーチクルボード等の木材加工品で構成され、また略垂直に立設するため下端が脚３に保持されており、その内面側には、箔状の発熱体４を有した発泡ポリウレタン等からなるクッション体５が設けられている。
【００２５】
発熱体４は、クッション体５の加圧面側に設けられており、挟圧した衣類等の加熱が効率よく行えるようになっている。
【００２６】
発熱体４とクッション体５は、摩擦抵抗が少なく、滑りやすい、例えば、ポリエステル等の薄い繊維からなり、かつ周囲が固定部材１ａで固定板１に取付けられたカバー５ａで覆われている。
【００２７】
可動板２は、固定板１の下端にヒンジ装置６により開閉自在に連結してあるとともに、例えば、強化ガラス板等の透明な部材で構成して、挟圧した衣類等を外から視認できるようになっている。
【００２８】
固定板１と可動板２の間に衣類等を挟圧した状態に保持するロック装置７は、固定板１の背面に回動自在に設けたレバー８と、このレバーを係止するために可動板２に設けた係止部９とから構成され、レバー８を係止部９に係止することにより、可動板２と固定板１を一体化する。
【００２９】
可動板２の周縁部に設置された保護体１０は、エラストマのような弾性材製であって、断面形状が略コ字状にしてあり、可動板２の周縁端部を三方向から包囲するように設けられている。
【００３０】
また、前記保護体１０は、固定板１の外周よりも短い周長さを有する環状のもので切断面が存在しないように設定してあり、その装着はその弾性を利用して周長さを一旦大きくして保護体１０の周縁に被せ、その後外力を除けば、前記保護体１０の周縁に弾着されるものである。
【００３１】
保護体１０の一部外面には略コ字状の金具１１がネジ１２を介して取付けてある。保護体１０が弾性材からなるために、実際には間に金属プレート１３を介在させ、これにネジ１２の先端を当接させて強固に固定している。
【００３２】
この金属プレート１３の保護体１０に接触する面には数個の突起１４があり、ネジ１２を締め付けるに従ってその突起１４が保護体１０に食い込み、これにより保護体１０の可動板２への固定が強化される。
【００３３】
上記ネジ１２を設ける目的の一つは、ロック装置７の係止部９を可動板２に取付けるところにあり、図４のように、ネジ１２で上記係止部９は金具１１に強固に固定される。今一つの目的は、図示はしていないがヒンジ装置６の取付け用で、係止部９と同様に可動板２に取付けられている。
【００３４】
上記の構成によれば、衣類プレス器の移動中に保護体１０に外力が加わってもその弾性により外れることがない。
【００３５】
（実施例２）
図５〜図７に示すように、保護体２０は、合成樹脂などの剛性材料からなる略コ字状の一対の枠部材２１，２２からなり、可動板２３の周縁に固定されている。
【００３６】
そして、一方の枠部材２２には、２ヶ所にヒンジ装置２４が、また他方の枠部材２１には、２ヶ所にロック装置の係止部２５がそれぞれ一体的に形成されている。そして、この係止部２５を介して前記一対の枠部材２１，２２を連結する。
【００３７】
前記ヒンジ装置２４、および係止部２５は、略コ字状の金具２６を介して可動板２３に固定されている。
【００３８】
さらに述べると、前記金具２６のねじ孔にねじ込まれたネジ２７，２８を、金具２６と可動板２３の間に介在させたた金属プレート２９に当接させることでそれぞれが固定されるものである。他の構成は、実施例１と同じである。
【００３９】
上記構成によれば、可動板２３の周縁やヒンジ装置２４や係止部２５に外的衝撃力が加わっても、枠部材２１，２２にヒンジ装置２４の係止部２５が一体に成形されており、かつ合成樹脂であるので、伸びたりすることがなく、またずれることもない。
【００４０】
従って、ずれによる寸法関係の変化によるプレス効果の低下もなく、長期間にわたって、常に良好な衣類プレスを行うことができる。
【００４１】
【発明の効果】
上記実施例から明らかなように、本発明によれば、保護体がゴム部材からなり、環状に形成されているので、ゴム部材の伸縮作用により、可動板への取り付けが強固となり、可動板が外的衝撃を受けたときも、衝撃による損傷を防ぐことができる。
【図面の簡単な説明】
【図１】本発明の実施例１の衣類プレス器の斜視図
【図２】同衣類プレス器の保護体の斜視図
【図３】同衣類プレス器の金属プレートの斜視図
【図４】同衣類プレス器の係止部の要部断面図
【図５】本発明の実施例２を示す可動板と保護体の分解斜視図
【図６】同衣類プレス器のヒンジ装置の要部断面図
【図７】同衣類プレス器の係止部の要部断面図
【図８】従来の衣類プレス器の斜視図
【図９】従来の衣類プレス器の要部断面図
【図１０】従来の衣類プレス器の係止部の要部断面図
【図１１】従来の衣類プレス器のヒンジ部の断面図
【図１２】従来の衣類プレス器の保護体接合部の正面図
【符号の説明】
１  固定板
２  可動板
４  発熱体
５  クッション体
６  ヒンジ装置
７  ロック装置
９  係止部
１０  保護体
【図１】
2004254916.tif 000003
【図２】
2004254916.tif 000004
【図３】
2004254916.tif 000005
【図４】
2004254916.tif 000006
【図５】
2004254916.tif 000007
【図６】
2004254916.tif 000008
【図７】
2004254916.tif 000009
【図８】
2004254916.tif 000010
【図９】
2004254916.tif 000011
【図１０】
2004254916.tif 000012
【図１１】
2004254916.tif 000013
【図１２】
2004254916.tif 000014